(57)【要約】      （修正有）【課題】ウェイクボードを行うための室内または室外ウェイクボード専用人工プールシステムを提供する。【解決手段】人工プール１０と、人工プール１０の前方に設けられ、傾きを調整および維持することができるよう支持部材４０によって下端および両側が回動可能に結合する模型ボート３０と、模型ボート３０の船首の下端に水を高速で噴射するための高速噴射手段７０，８０と、人工プール１０の内部に供給および排水される水を循環させるための循環手段１００，１１０と、模型ボート３０に取り付けられ、模型ボート３０の運行時に動力を受けて回転することにより水流を形成しながらウェイクのサイズおよび形状を調整するためのウェイクサイズおよび形状調整手段と、人工プール１０の内壁に取り付けられ、生成されたウェイクが壁から反射してくるときに発生する波動を減衰させるためのウェイク減衰手段とから構成される。【選択図】図１
2009127417.tif 000002
【特許請求の範囲】
【請求項１】
ウェイクボードを行うための人工プールと、
前記人工プールの前方に設けられ、ウェイクボードの際に支持された状態で傾きを調整および保持することができるように支持部材によって下端および両側が回動可能に結合する模型ボートと、
前記模型ボートの運行中に前面部に水がぶつかる形状と類似するように、模型ボートの下端面にウェイクを生成させると同時に、ウェイクボードを行う使用者が水の上に浮き上がることを助けるために人工プールの表面の流速を形成するように、模型ボートの船首の下端に水を高速で噴射するための高速噴射手段と、
前記人工プールの内部に対して供給および排水される水を循環させるための循環手段と、
前記模型ボートに取り付けられ、模型ボートの運行時に動力を受けて回転することにより水流を形成しながらウェイクのサイズおよび形状を調整するためのウェイクサイズおよび形状調整手段と、
前記人工プールの内壁に取り付けられ、ウェイクボードの際に生成されたウェイクが壁から反射されてくるときに発生する波動を減衰させるためのウェイク減衰手段と、
から構成されることを特徴とするウェイクボード専用人工プールシステム。
【請求項２】
前記人工プール内の底面に、防水および衝撃を緩和させるためのゴムまたはウレタン材質の弾性体が付着していることを特徴とする請求項１に記載のウェイクボード専用人工プールシステム。
【請求項３】
前記人工プール内の底面に、水入りのマットが付着していることを特徴とする請求項１に記載のウェイクボード専用人工プールシステム。
【請求項４】
前記模型ボートの上端に、ウェイクボードの際に使用者が把持するロープ端部を固定させるための固定ポールが垂設されていることを特徴とする請求項１に記載のウェイクボード専用人工プールシステム。
【請求項５】
前記高速噴射手段は、前記プール内の前方の中央端部に設けられるメイン噴射ノズルと、前記メイン噴射ノズルを中心に前記人工プール内の前方端部の両側壁に設けられ、メイン噴射ノズルと共に、人工プールの内部に供給される水を噴射するための複数の補助噴射ノズルとから構成されることを特徴とする請求項１に記載のウェイクボード専用人工プールシステム。
【請求項６】
前記循環手段は、前記人工プールの外部の高速噴射手段と排水孔との間に設置され、人工プール内の水が循環する水路としての循環配管と、前記循環配管に取り付けられ、供給および排水される水を循環させるために作動する循環ポンプとから構成されることを特徴とする請求項１に記載のウェイクボード専用人工プールシステム。
【請求項７】
前記排水孔は、人工プールの後方端部の中央および両側壁に複数設けられていることを特徴とする請求項１または６に記載のウェイクボード専用人工プールシステム。
【請求項８】
前記ウェイクサイズおよび形状調整手段は、模型ボートの後方の下部に取り付けられ、ウェイクボードの際に動力を発生させる駆動モーターと、前記駆動モーターのモーター軸の端部に取り付けられ、駆動モーターの動力を受けて回転するプロペラとから構成されることを特徴とする請求項１に記載のウェイクボード専用人工プールシステム。
【請求項９】
前記ウェイク減衰手段は、
前記人工プールの内側に取り付けられ、１次的にウェイクを吸収して通過させるための１次ウェイク減衰部材と、
前記人工プールの内壁と前記１次ウェイク減衰部材との間に固定部材によって間隔調整可能に固定され、１次ウェイク減衰部材を通過したウェイクを２次的に吸収するための２次ウェイク減衰部材と、
から構成されることを特徴とする請求項１に記載のウェイクボード専用人工プールシステム。
【請求項１０】
前記１次ウェイク減衰部材は、格子網からなることを特徴とする請求項９に記載のウェイクボード専用人工プールシステム。
【請求項１１】
前記２次ウェイク減衰部材は、エンボス状を持つスポンジ板材からなることを特徴とする請求項９に記載のウェイクボード専用人工プールシステム。
【請求項１２】
前記人工プールが、室外または室内に設置されていることを特徴とする請求項１に記載のウェイクボード専用人工プールシステム。
【発明の詳細な説明】
【技術分野】
【０００１】
本発明は、ウェイクボード専用人工プールシステムに係り、さらに詳しくは、ウェイクボードを行うための必須要素を具える人工プールを室内または室外に設置し、人工的に生成されるウェイクによっていろいろな制約条件や場所、時間などに関係なく何時でも使用者がウェイクボードを楽しむことができるようにしたウェイクボード専用人工プールシステムに関する。
【背景技術】
【０００２】
一般に、ウェイクボードは、水の上で楽しむボードの一種で、最近、若者達を中心に急速に広がり脚光を浴びている水上スポーツである。ウェイク(wake)とは、もともとはボートに設置されたプロペラの回転によってボートの後ろ側に残るＶ字状の一対の水跡を意味する。このようなウェイクボードは、このウェイクを用いて水の上でジャンプし回転するなどのスリル満点の多様な動作を容易に楽しめることが特徴である。
【０００３】
ところが、前述したようなウェイクボードに乗るためには、高速のボートが移動しうる海や川、貯水池、湖などの広い水面を持つ空間、ウェイクを発生させ得る高馬力のウェイク専用ボート、および熟練したボート運転ドライバーが必要であるが、その他にも、環境汚染による規制を考慮しなければならず、移動時の交通手段も必要である。さらに、特に季節的および地理的要因や気温、気候などのいろいろの自然的な制約条件が満たされなければ使用者がウェイクボードを行うことができないため、このようないろいろの条件や場所、時間などに拘らず何時でもウェイクボードを楽しむことが可能な人工プールの出現が求められてきた。
【発明の開示】
【発明が解決しようとする課題】
【０００４】
そこで、本発明は、前述した従来の諸般の問題点を解決するために案出されたもので、その目的とするところは、ウェイクボードを行うための必須要素を具える人工プールを室内または室外に設置し、人工的に生成されるウェイクによっていろいろの制約条件や場所、時間などに関係なく何時でも使用者がウェイクボードを行うことができるため、使用者のニーズを満たすうえ、安全な状態で便利に楽しむことが可能なウェイクボード専用人工プールシステムを提供することにある。
【０００５】
本発明の他の目的は、ウェイクボードに対する大衆化の基盤を構築することができるため関心および興味を誘発し、ウェイクボードを楽しむ使用者層を大きく広げることが可能なウェイクボード専用人工プールシステムを提供することにある。
【課題を解決するための手段】
【０００６】
上記目的を達成するために、本発明のある観点によれば、ウェイクボードを行うための人工プールと、前記人工プールの前方に設けられ、ウェイクボードの際に支持された状態で傾きを調整および維持することができるように支持部材によって下端および両側が回動可能に結合する模型ボートと、前記模型ボートの運行中に前面部に水がぶつかる形状と類似するように、模型ボートの下端面にウェイクを生成させると同時に、ウェイクボードを行う使用者が水の上に浮き上がることを助けるために人工プールの表面の流速を形成するように、模型ボートの船首の下端に水を高速で噴射するための高速噴射手段と、前記人工プールの内部に対して供給および排水される水を循環させるための循環手段と、前記模型ボートに取り付けられ、模型ボートの運行時に動力を受けて回転することにより水流を形成しながらウェイクのサイズおよび形状を調整するためのウェイクサイズおよび形状調整手段と、前記人工プールの内壁に取り付けられ、ウェイクボードの際に生成されたウェイクが壁から反射してくるときに発生する波動を減衰させるためのウェイク減衰手段とから構成されることを特徴とする、ウェイクボード専用人工プールシステムが提供される。
【０００７】
また、前記人工プール内の底面には、防水および衝撃を緩和させるためのゴムまたはウレタン材質の弾性体が付着していることを特徴とする。
【０００８】
また、前記人工プール内の底面には、水入りのマットが付着していることを特徴とする。
【０００９】
また、前記模型ボートの上端には、ウェイクボードの際に使用者が把持するロープの端部を固定するための固定ポールが垂設されていることを特徴とする。
【００１０】
また、前記高速噴射手段は、前記プール内の前方の中央端部に設けられるメイン噴射ノズルと、前記メイン噴射ノズルを中心に前記人工プール内の前方端部の両側壁に設けられ、メイン噴射ノズルと共に、人工プールの内部に供給される水を噴射するための複数の補助噴射ノズルとから構成されることを特徴とする。
【００１１】
また、前記循環手段は、前記人工プールの外部の高速噴射手段と排水孔との間に設置され、人工プール内の水が循環する水路としての循環配管と、前記循環配管に取り付けられ、供給および排水される水を循環させるために作動する循環ポンプとから構成されることを特徴とする。
【００１２】
また、前記排水孔は、人工プールの後方端部の中央および両側壁に複数設けられていることを特徴とする。
【００１３】
また、前記ウェイクサイズおよび形状調整手段は、模型ボートの後方の下部に取り付けられ、ウェイクボードの際に動力を発生させる駆動モーターと、前記駆動モーターのモーター軸の端部に取り付けられ、駆動モーターの動力を受けて回転するプロペラとから構成されることを特徴とする。
【００１４】
また、前記ウェイク減衰手段は、前記人工プールの内側に取り付けられ、１次的にウェイクを吸収して通過させるための１次ウェイク減衰部材と、前記人工プールの内壁と１次ウェイク減衰部材との間に固定部材によって間隔調整可能に固定され、１次ウェイク減衰部材を通過したウェイクを２次的に吸収するための２次ウェイク減衰部材とから構成されることを特徴とする。
【００１５】
また、前記１次ウェイク減衰部材は、格子網からなることを特徴とする。
また、前記２次ウェイク減衰部材は、エンボス状を持つスポンジ板材からなることを特徴とする。
【００１６】
また、前記人工プールは、室外または室内に設置されていることを特徴とする。
【発明の効果】
【００１７】
上述したように、本発明は、ウェイクボートを行うための必須要素を具える人工プールを室内または室外に設置し、人工的に生成されるウェイクによって冬、梅雨、降雨時、夜間などのいろんな制約条件や場所、時間などに関係なく何時でも使用者がウェイクボードを行うことができるため、使用時の移動時間および所要費用を大きく節減させることができ、ウェイクボード技術を熟達させるために同じパターンの反復訓練が可能であって訓練効果を極大化させることができ、初歩者または熟練者が共に使用することができるため、使用者の要求を満たすのは勿論のこと、安全な状態で便利に楽しむことができるうえ、ウェイクボードに対する大衆化の基盤を構築することができるため関心および興味を誘発し、ウェイクボードを楽しむ使用者層を大きく広げることができるなどの利点を持つ非常に有用な発明である。
【発明を実施するための最良の形態】
【００１８】
以下に添付図面を参照しながら、本発明の好適な実施の形態について詳細に説明する。
【００１９】
図１は本発明のウェイクボード専用人工プールシステムを示す縦断面図、図２は本発明に係る人工プールを示す斜視図、図３は本発明に係る人工プールを示す平面図、図４は本発明に係る模型ボートの下部にモーターとプロペラが設置された状態を示す側面図、図５は本発明に係る人工プールにウェイク減衰手段が取り付けられた状態を示す縦断面図、図６は本発明のウェイクボード専用人工プールにおけるウェイクボード時の作動状態を示す縦断面図である。
【００２０】
本発明のウェイクボード専用人工プールシステムにおいて、室外または室内に設置されてウェイクボードを行うための人工プール１０内の底面には、防水および衝撃を緩和させるためのゴムまたはウレタン材質の弾性体２０が取り付けられ、前記人工プール１０の前方には、ウェイクボードの際に支持された状態で模型ボート３０の傾きを調整および保持することができるように模型ボート３０の下端および両側を支持部材４０によって回動可能に結合し、前記模型ボート３０の上端には、ウェイクボードの際に使用者が把持するロープ５０の端部を固定させるための固定ポール６０が垂設されている。
【００２１】
また、人工プール１０内の前方の中央端部には、ウェイクボードの際に運行中の模型ボート３０の前面部に水がぶつかる形状と類似するように、模型ボート３０の下端面にウェイクを生成させると同時に、ウェイクボードを行う使用者が水の上に浮き上がることを助けるために人工プール１０の表面の流速を形成するように、模型ボート３０の船首の下端に水を高速で噴射するためのメイン噴射ノズル７０が設けられている。このメイン噴射ノズル７０を中心に前記人工プール１０内の前方端部の両側壁には、このメイン噴射ノズル７０と共に、人工プール１０の内部に水を噴射するための複数の補助噴射ノズル８０が設置されている。
【００２２】
また、前記人工プール１０の後方端部の中央および両側壁には、人工プール１０の内部に供給される水を排水するための複数の排水孔９０が設けられており、前記人工プール１０の外部のメインおよび補助噴射ノズル７０、８０と排水孔９０との間には、人工プール１０内の水が循環する水路としての循環配管１００が設置されており、この循環配管１００には、供給および排水される水を循環させるために作動する循環ポンプ１１０が取り付けられている。
【００２３】
また、前記模型ボート３０の後方の下部には、ウェイクボードの際に動力を発生させるインバータモーターなどからなる駆動モーター１２０が取り付けられ、この駆動モーター１２０のモーター軸１２２の端部には、駆動モーター１２０の動力を受けて回転することにより水流を形成しながらウェイクのサイズおよび形状を調整するためのプロペラ１３０が取り付けられている。
【００２４】
前記人工プール１０の内壁には、ウェイクボードの際に生成されたウェイクが壁から反射してくるときに発生する波動を減衰させるためのウェイク減衰手段１４０が取り付けられている。このウェイク減衰手段１４０は、前記人工プール１０の内側に取り付けられ、１次的にウェイクを吸収して通過させるために格子網からなる１次ウェイク減衰部材１５０と、前記人工プール１０の内壁と前記１次ウェイク減衰部材１５０との間に固定部材１６０によって間隔調整可能に固定され、１次ウェイク減衰部材１５０を通過したウェイクを２次的に吸収するためのエンボス状のスポンジ板材からなる２次ウェイク減衰部材１７０とから構成されている。
【００２５】
前述したように構成された本発明によれば、図１〜図６に示すように、室内または室外の所定の場所にウェイクボード専用人工プール１０を設置した状態でウェイクボードに乗る場合、前記模型ボート３０は、停止しているときは図１のような水平状態を維持し、ウェイクボードのために模型ボート３０が水面上を走るときは、図６に示すように、ウェイクボード２００に乗っている使用者が、前記模型ボート３０の上端に垂設された固定ポール６０に端部が固定されたロープ５０を手で把持した状態で、前記模型ボート３０の船首が上がり船尾は沈む傾いた形態を保つ。
【００２６】
この際、上述した状態で前記人工プール１０の内部に対して、この人工プール１０内の前方の中央端部に設置されたメイン噴射ノズル７０を介して、ウェイクボードの際に運行中の模型ボート３０の前面部に水がぶつかる形状と類似するように、模型ボート３０の下端面にウェイクを生成させるとともに、ウェイクボードを行う使用者が水上に浮き上がることを助けるために人工プール１０の表面の流速を形成するように、模型ボート３０の船首の下端に水を高速で噴射する。
【００２７】
これと同時に、前記メイン噴射ノズル７０を中心に人工プール１０内の前方端部の両側壁に設けられた複数の補助噴射ノズル８０を介して高速で水を噴射すると同時に、前記模型ボート３０の後方の下部に取り付けられた駆動モーター１２０のモーター軸１２２の端部に取り付けられているプロペラ１３０が前記駆動モーター１２０の動力を受けて回転して、水流を形成しながらウェイクのサイズおよび形状を調整し、前記人工プール１０内の水を表面流速３０〜５０ｋｍ／ｈｒの高速で流すことにより、前記模型ボート３０を前方に進まないように固定させた状態で、まるでボートが川や海などで走行するときと同様の効果を得ることができる。
【００２８】
また、前述したウェイクボード中に発生するウェイクが人工プール１０の壁面にぶつかることにより反射してくる反対波動は、図５に示すように、前記人工プール１０の内壁に取り付けられたウェイク減衰手段１４０によって減衰させて消滅させる。その減衰過程は、まず、前記人工プール１０の内側に取り付けられた格子網からなる１次ウェイク減衰部材１５０が１次的にウェイクを吸収して通過させ、次いで、前記人工プール１０の内壁と１次ウェイク減衰部材１５０との間に固定部材１６０によって間隔調整可能に固定されているエンボス状のスポンジ板材からなる２次ウェイク減衰部材１７０が、１次ウェイク減衰部材１５０を通過したウェイクを２次的に吸収しながら、さらに、前記人工プール１０の後方の両側壁に設けられた排水孔９０から抜け出させることによりウェイクを減衰させて効率よく消滅させることができる。
【００２９】
この際、前述した排水孔９０から抜け出していない残余ウェイクは、再び反射され、逆に前記２次、１次ウェイク減衰部材１７０、１５０にぶつかることにより減衰する。よって、残余ウェイクは完璧に消滅させることができる。
【００３０】
また、前記人工プール１０の内部に流入する水は、前記人工プール１０の後方端部の中央および両側壁に設けられた複数の排水孔９０から排水させ、前記人工プール１０の外部のメインおよび補助噴射ノズル７０、８０と排水孔９０との間に設けられた循環配管１００を介して水を循環させ、この循環配管１００に取り付けられた循環ポンプ１１０の作動によって、供給および排水される水を円滑に循環させることができる。
【００３１】
本発明のウェイクボード専用人工プールシステムにおいて、人工プール１０の形状は、必要に応じて図示のものに限定されずにその他の形状に変更して使用することもでき、ウェイクボードを行う使用者の運動能力などに応じてウェイクのサイズおよび形状、人工プール１０内の表面流速なども任意に調整して制御することもできる。
【００３２】
一方、本発明の他の実施例として、図７に示すように、前記人工プール１０内の底面にゴムまたはウレタン材質の弾性体２０を付着させる代わりに、水入りのマット１８０を前記人工プール１０内の両側底面に人工プールの高さの半分に相当する高さだけ付着させることにより、緩衝効果を得るうえ、人工プール１０の内部に供給されるより少ない水量でも同一の効果を得ることができる。
【図面の簡単な説明】
【００３３】
【図１】図１は、本発明のウェイクボード専用人工プールシステムを示す縦断面図である。
【図２】図２は、本発明に係る人工プールを示す斜視図である。
【図３】図３は、本発明に係る人工プールを示す平面図である。
【図４】図４は、本発明に係る模型ボートの下部にモーターとプロペラが設置された状態を示す側面図である。
【図５】図５は、本発明に係る人工プールにウェイク減衰手段が取り付けられた状態を示す縦断面図である。
【図６】図６は、本発明のウェイクボード専用人工プールにおけるウェイクボード時の作動状態を示す縦断面図である。
【図７】図７は、本発明に係る人工プールの他の実施例を示す斜視図である。
【符号の説明】
【００３４】
１０      人工プール
２０      弾性体
３０      模型ボート
４０      支持部材
５０      ロープ
６０      固定ポール
７０      メイン噴射ノズル
８０      補助噴射ノズル
９０      排水孔
１００    循環配管
１１０    循環ポンプ
１２０    駆動モーター
１２２    モーター軸
１３０    プロペラ
１４０    ウェイク減衰手段
１５０    １次ウェイク減衰部材
１６０    固定部材
１７０    ２次ウェイク減衰部材
１８０    マット
２００    ウェイクボート
【図１】
2009127417.tif 000003
【図２】
2009127417.tif 000004
【図３】
2009127417.tif 000005
【図４】
2009127417.tif 000006
【図５】
2009127417.tif 000007
【図６】
2009127417.tif 000008
【図７】
2009127417.tif 000009